(57)【要約】【課題】            姿勢の保持が容易であるとともに動きやすいスポーツウェアを提供することを目的とする。【解決手段】        主構成部分がストレッチ素材で形成され、着用者の肌の表面にほぼ密着した状態で着用される、強緊締素材及び弱緊締素材を含むスポーツ用ウェアであって、前記強緊締素材は着用者の頭部から頚部、背部、腰部、臀部、大腿部、下腿部の範囲を宛がう領域を含む位置に配置し、前記強緊締素材を配置した領域以外の領域に、前記弱緊締素材を配置したことを特徴とするスポーツ用ウェアである。【選択図】          図３
2006097213.tif 000002
【特許請求の範囲】
【請求項１】
主構成部分がストレッチ素材で形成され、着用者の肌の表面にほぼ密着した状態で着用される、強緊締素材及び弱緊締素材を含むスポーツ用ウェアであって、
前記強緊締素材は、以下（Ａ）又は（Ｂ）の範囲を宛がう領域を含む位置に配置し、
前記強緊締素材を配置した領域以外の領域に、前記弱緊締素材を配置したことを特徴とするスポーツ用ウェア。
（Ａ）臀部の大殿筋の少なくとも一部を覆い、かつ一端が背部の脊柱起立筋の少なくとも一部を覆い、かつもう一端が大腿部後面のハムストリングスの少なくとも一部を覆う連続した範囲。
（Ｂ）膝蓋骨の少なくとも一部を覆い、かつ一端が大腿部前面の大腿四頭筋の少なくとも一部を覆い、かつもう一端が下腿部の膝蓋靱帯の少なくとも一部を覆う連続した範囲。
【請求項２】
主構成部分がストレッチ素材で形成され、着用者の肌の表面にほぼ密着した状態で着用される、強緊締素材及び弱緊締素材を含むスポーツ用ウェアであって、
前記強緊締素材は、前記（Ａ）及び（Ｂ）の範囲を宛がう領域を含む位置に配置し、
前記強緊締素材を配置した領域以外の領域に、前記弱緊締素材を配置したことを特徴とするスポーツ用ウェア。
【請求項３】
主構成部分がストレッチ素材で形成され、着用者の肌の表面にほぼ密着した状態で着用される、強緊締素材及び弱緊締素材を含むスポーツ用ウェアであって、
前記強緊締素材は、前記（Ａ）、（Ｂ）及び以下（Ｃ）の範囲を宛がう領域を含む位置に配置し、
前記強緊締素材を配置した領域以外の領域に、前記弱緊締素材を配置したことを特徴とするスポーツ用ウェア。
（Ｃ）首後部の板状筋の少なくとも一部を覆い、かつ一端が頭蓋骨の後下方部を含む頭蓋骨の少なくとも一部を覆い、かつもう一端が背部の脊柱起立筋の少なくとも一部を覆う連続した範囲。
【請求項４】
前記強緊締素材が樹脂製シートとストレッチ性編織物からなる少なくとも２層以上の生地であることを特徴とする請求項１乃至３のいずれかに記載のスポーツウェア。
【請求項５】
前記強緊締素材及び弱緊締素材が樹脂製シートとストレッチ性編織物からなる少なくとも２層以上の生地であることを特徴とする請求項１乃至３のいずれかに記載のスポーツウェア。
【請求項６】
前記強緊締素材と弱緊締素材との境界のうち少なくとも一部がシームレスで配置されたことを特徴とする請求項１乃至５のいずれかに記載のスポーツウェア。
【発明の詳細な説明】
【技術分野】
【０００１】
本発明は着用者の表面にほぼ密着した状態で着用されるスポーツ用ウェアに関するものであり、特にスポーツで見られる前傾姿勢の保持機能を有すると共に動きやすさも確保されたスポーツウェアに関するものである。
【背景技術】
【０００２】
従来スポーツウェアの設計については、これまで緊締力の弱い素材を適所に配置したりパターン上の工夫をすることによって、動きやすさ、即ち動作に対する衣服の引っ張り抵抗を下げることに主眼が置かれてきた。
例えば、非常に軽量で緊締力の低い素材を用いて動きやすさを追求したものや、皮膚の解剖学的な構造に合致するようにパターンを作成し、動きやすさを高めたものがある。
また、特許文献１には、伸縮素材よりなるスパッツ本体の裾部に、膝上部に巻回して締め付ける締め付けベルトを装着し、前記スパッツ本体の所望の部位に本体の構成素材より緊締力の強いスパンデックス等よりなるパワーメッシュ生地を裏打ちして縫合一体化し、サポート用当て布を構成したスポーツ用スパッツが開示されている。
【特許文献１】特開平９−１４９９５９号公報
【発明の開示】
【発明が解決しようとする課題】
【０００３】
多くのスポーツでは図８のように膝や腰を曲げて身体を前傾させた姿勢をとることが多い。
これは例えば、空気抵抗を低下させたり（スキー、スケート等）、大きなパワーを発揮して相手を打ち負かしたり（相撲、ラグビーやアメリカンフットボールのタックル等）、次に取るべき行動を素早くスムーズに起こしたり（野球やソフトボールの守備等）するために必要な姿勢である。このような前傾姿勢は立位に比べて頚部、腰背部、臀部、大腿部の筋肉にかかる負担が大きい。即ち、頭部後屈位を保つ板状筋、体幹の前傾（股関節屈曲）を保つ脊柱起立筋、大殿筋、及びハムストリングス、膝関節の屈曲位を保つ大腿四頭筋がこのような姿勢の保持に大きく関与しており、これらの筋肉が疲労等のため十分に働かないと、図８のような身体姿勢を保持することが困難となり転倒してしまう。このため、身体はより腰の高い姿勢をとってこれらの筋肉にかかる負担を減らし、転倒を防ごうとする。特に前傾姿勢を長時間強いられるようなスポーツ（例えば、スピードスケートやスキーなど）では、筋疲労による腰の高い姿勢がパフォーマンスの低下に直結するため、できるだけ腰の低い前傾姿勢を保つ必要がある。しかし、動きやすさを追求した従来の設計では、このような姿勢を保持することには適していない。また、姿勢の保持を容易にするために、単に緊締力の強い素材を用いるだけでは、動きにくくなることが容易に想像できる。
また、特許文献１に記載のスポーツ用スパッツでは、サポート用当て布が所定の筋肉部位に密着し、テーピング機能を保持して筋肉の疲労を防止すると共に運動作用がスムーズとなるが、前傾姿勢を保持する機能に関しては充分ではない。
そこで、本発明に係るスポーツ用ウェアでは、適所に緊締力の強い素材と弱い素材を配置することにより、姿勢の保持が容易であるとともに動きやすいスポーツウェアを提供することを目的とする。
【課題を解決するための手段】
【０００４】
そこで本発明では、前記の課題を解決し、姿勢を保持しつつ動きやすいスポーツ用ウェアに関する発明をするに至った。即ち、本発明のスポーツ用ウェアは、
主構成部分がストレッチ素材で形成され、着用者の肌の表面にほぼ密着した状態で着用される、強緊締素材及び弱緊締素材を含むスポーツ用ウェアであって、前記強緊締素材は、以下（Ａ）及び／又は（Ｂ）の範囲を宛がう領域を含む位置に配置し、前記強緊締素材を配置した領域以外の領域に、前記弱緊締素材を配置したことを特徴とするスポーツ用ウェアである。
（Ａ）の範囲とは、臀部の大殿筋の少なくとも一部を覆い、かつ一端が背部の脊柱起立筋の少なくとも一部を覆い、かつもう一端が大腿部後面のハムストリングスの少なくとも一部を覆う連続した範囲のことである。
（Ｂ）の範囲とは、膝蓋骨の少なくとも一部を覆い、かつ一端が大腿部前面の大腿四頭筋の少なくとも一部を覆い、かつもう一端が下腿部の膝蓋靱帯の少なくとも一部を覆う連続した範囲のことである。
【０００５】
また、本発明のスポーツ用ウェアは、前記強緊締素材を、前記（Ａ）、（Ｂ）及び以下の（Ｃ）の範囲を宛がう領域を含む位置に配置し、前記強緊締素材を配置した領域以外の領域に、前記弱緊締素材を配置したことを特徴とするスポーツ用ウェアである。
（Ｃ）の範囲とは、首後部の板状筋の少なくとも一部を覆い、かつ一端が頭蓋骨の後下方部を含む頭蓋骨の少なくとも一部を覆い、かつもう一端が背部の脊柱起立筋の少なくとも一部を覆う連続した範囲のことである。
【０００６】
前記強緊締素材は樹脂製シートとストレッチ性編織物からなる少なくとも２層以上の生地であることが好ましく、同じく弱緊締素材は樹脂製シートとストレッチ性編織物からなる少なくとも２層以上の生地であることが好ましい。
また、本発明のスポーツ用ウェアは、前記強緊締素材と弱緊締素材との境界のうち少なくとも一部がシームレスで配置されることが好ましい。
【発明の効果】
【０００７】
本発明に係るスポーツ用ウェアによれば、前傾姿勢の保持が容易であるとともに動きやすいスポーツ用ウェアとすることができる。
【発明を実施するための最良の形態】
【０００８】
以下、本発明の実施の形態について説明する。本発明のスポーツ用ウェアは、複数の部材によって形成され、前記（Ａ）及び／又は（Ｂ）の範囲を宛がう領域を含む位置に強緊締素材を配置し、それ以外の領域に弱緊締素材を配置したことを特徴とするスポーツ用ウェアである。このようなウェアの形態としては、少なくとも下半身を覆う必要があり、下半身用スパッツや全身スーツ等が挙げられる。
【０００９】
また、本発明のスポーツ用ウェアは、複数の部材によって形成され、前記（Ａ）、（Ｂ）及び（Ｃ）の範囲を宛がう領域を含む位置に強緊締素材を配置し、それ以外の領域に弱緊締素材を配置したことを特徴とするスポーツ用ウェアである。このようなウェアの形態としては全身を覆う必要があり、全身スーツ等が挙げられる。
【００１０】
前記（Ａ）、（Ｂ）及び（Ｃ）の範囲について、図５、図６、図７を用いて明すると、
前記（Ａ）の範囲は、大殿筋８０の少なくとも一部を覆い、かつ一端が脊柱起立筋８７の下端部を含む少なくとも一部を覆い、かつもう一端がハムストリングス８１（ハムストリングス８１は、大腿二頭筋８１ａ、半腱様筋８１ｂ、半膜様筋８１ｃを含む筋肉群で構成される。）の上端部を含む少なくとも一部を覆う連続した範囲である。
体幹及び股関節の伸展筋である前記（Ａ）の範囲に強緊締素材を配置することで、前傾姿勢における腰を曲げた状態の保持をサポートすることが可能となる。
前記（Ｂ）の範囲は、膝蓋骨８２の少なくとも一部を覆い、かつ一端が大腿四頭筋８３（大腿四頭筋８３は、外側広筋８３ａ、内側広筋８３ｂ、大腿直筋８３ｃを含む筋肉群で構成される。）の下端部を含む少なくとも一部を覆い、かつもう一端が膝蓋靱帯８４を含む下腿部の上端部の少なくとも一部を覆う連続した範囲である。
膝伸展筋である前記（Ｂ）の範囲に強緊締素材を配置することで、前傾姿勢における膝を曲げた状態の保持をサポートすることが可能となる。
前記（Ｃ）の範囲は、首後部の板状筋８５（板状筋は頚板状筋、頭板状筋を含む筋肉群で構成される。）の少なくとも一部を覆い、かつ一端が頭蓋骨８６の後下方部を含む頭蓋骨の少なくとも一部を覆い、かつもう一端が脊柱起立筋８７の上端部を含む少なくとも一部を覆う連続した範囲である。
頭部及び頚椎の伸展筋である前記（Ｃ）の範囲に強緊締素材を配置することで、前傾姿勢における顔を上げた状態の保持をサポートすることが可能となる。
なお、前記の説明に用いた「少なくとも一部」とは、該当する範囲又は筋肉の全て或いは一部分を指すものである。
【００１１】
本発明において、「主構成部分」とは、ウェアを構成する主要な生地部、すなわち、少なくとも前記の（Ａ）、（Ｂ）、（Ｃ）の範囲のうちの必要な範囲を覆う生地をいう。
【００１２】
本発明のスポーツ用ウェアは、着用者の肌の表面にほぼ密着した状態で着用されることが好ましい。「ほぼ密着」の状態を作るには、人体の裸のサイズに対して、周囲方向は５０％以上１１０％以下、さらに好ましくは７０％以上９５％以下、丈は７５％以上１００％以下、さらに好ましくは８５％以上１００％以下としてウェアを形成する。もちろん人体のサイズは個人差があるので、前記の比率は目安である。
【００１３】
本発明のスポーツ用ウェアでは、ウェアを構成する各部材をストレッチ素材で構成することが好ましい。ストレッチ素材としては、経方向及び緯方向に伸縮する２ウェイストレッチ編物及び２ウェイストレッチ織物から選ばれる少なくとも一つの生地であることが好ましい。前記２ウェイストレッチ編物は、ポリエステル繊維糸と弾性糸とを主成分構成糸とするか、またはナイロン繊維糸と弾性糸とを主成分構成糸としてもよい。ここで、主成分構成糸とは、両成分を合計すると８０重量％以上になることをいう。ポリエステル繊維糸を用いた場合は、汗をかいても乾き易い。ナイロン繊維糸を用いた場合は、軟らかなタッチの生地となる。
【００１４】
前記織物の組織としては一般的に良く知られている平織、斜文織、朱子織の３原組織の他、変化織であってもよい。
前記編物の組織はどのようなものであっても良い。編物として一般的に良く知られているラッセル経編機によって編成される編物、トリコット経編機によって編成される編物及びニット緯編み機によって編成される編物等であっても良い。例えば、トリコット経編機によって編成されるハーフトリコット組織の編物やラッセル経編機によって編成されるパワーネット組織の編物等を挙げることができる。
具体的な編物の組織としては、天竺、鹿の子組織等の丸編シングル編組織、スムース、リブ組織等の丸編ダブル編組織を挙げることができる。
【００１５】
シングル編組織は、表面を編成する編み針しか配されておらず、基本的には１層の編物しか編成できないが、１つの給糸口から表面を構成する糸、裏面を構成する糸を編機に給糸することで表面と裏面を異なる糸で構成することも可能である。例えば、天竺組織で表面にポリエステル糸、裏面にポリウレタン糸を配するといわゆるストレッチ天竺（ベア天竺）を編成することができる。
ダブル編組織は、表面を編成する編み針と裏面を編成する編み針の両方が編機に配されているので表面と裏面の２層の編物を編成でき、それぞれの編組織を変えることができる。例えば、表面に綿糸、裏面にポリエステル糸をメッシュ調に、表面、裏面をつなぐ糸にポリウレタンのポリエステルカバーリング糸を配すると、表プレーン裏メッシュの発汗時も肌にべたつきにくい編組織の生地を編成することができる。
【００１６】
また、立体編み機と呼ばれる丸編み機を用いる場合は、イタリアＬＯＮＡＴＩ社製のＬシリーズ、ＳＡＮＴＯＮＩ社のＳＭシリーズ等が挙げられる。これらの丸編機はコンピュータ制御もしくは機械的制御で編み針の動きを制御することが可能で、任意の箇所を任意の編組織、任意の糸で編成することが可能である。よって、強緊締素材と弱緊締素材をシームレスで生地を構成することが可能である。強緊締素材を構成するためには、“カットボス”と呼ばれる手法を用いて、ストレッチ性の低い糸やハイパワーの糸を編み生地に挿入し、任意の箇所を強緊締素材とすることができる。また、任意の箇所の編条件を変えて立体的に膨らませた状態で編成することも可能であるので競技者の体型に合った立体的な編地を構成することが可能である。
【００１７】
前記織物及び編物は、ポリウレタン糸等の伸縮性を有する弾性糸を少なくとも一部に使用しているものが好ましい。
【００１８】
本発明の強緊締素材及び弱緊締素材は、ストレッチ素材であり、５ｃｍ幅における１７．７Ｎ（１８００ｇｆ）加重時の伸長率が、強緊締素材、弱緊締素材とも経緯方向とも２０％以上であることが好ましい。伸長率が２０％未満であると、ウェアの着脱が非常に困難になり、運動機能性を阻害してしまう。
また、５ｃｍ幅における伸長率が６０％時の荷重が、強緊締素材は経緯方向とも１７．７Ｎ（１８００ｇｆ）以上３９．３Ｎ（４０００ｇｆ）未満の範囲、弱緊締素材は経緯方向とも１７．７Ｎ（１８００ｇｆ）未満の範囲であることが好ましい。
強緊締素材の６０％時の荷重が１７．７Ｎ（１８００ｇｆ）以下であると、素材の緊締力が弱くなり、姿勢の保持が困難になる。また３９．３Ｎ（４０００ｇｆ）以上になると、ウェアの着脱が非常に困難になり、運動機能性を阻害してしまう。
弱緊締素材の６０％時の荷重が１７．７Ｎ（１８００ｇｆ）以上であると、運動機能性を阻害してしまう。
【００１９】
このような各部分のストレッチ特性を出すためには、例えば弾性糸を編物又は織物の構成糸に用いた場合、一例として次のような手段を取ることができる。
（１）強緊締素材には弱緊締素材に比べて、弾性糸の構成比率を高くする。
（２）強緊締素材には弱緊締素材に比べて、弾性糸の繊度を太くする。
（３）強緊締素材には弱緊締素材に比べて、織物の場合は経糸及び／又は緯糸密度を高くし、編み物の場合は編み密度を高くする。
（４）強緊締素材には弱緊締素材に比べて、弾性糸の張力を高くして織物または編物を製造する。
（５）強緊締素材には弱緊締素材に比べて、生地の厚さを厚くして織物または編物を製造する。
【００２０】
ストレッチ性を表す伸長率の測定方法は、ＴＥＮＳＩＬＯＮ万能型引張試験機（ＵＴＭ−III−２００、東洋ボールドウイン社製）を用い、引張強度を２０ｃｍ／分とし、試料生地の大きさは、巾が５ｃｍ、長さが３０ｃｍ、つかみ間隔が２０ｃｍとし、荷重が１７．７Ｎ（１８００ｇｆ）とし、そのときの試料生地の伸長率を測定してストレッチ性とした。
緊締力を表す荷重の測定方法は、同様の方法で、６０％の伸長率のときの荷重を測定して緊締力とした。以下、本発明の説明の際に用いる伸長率、荷重は、この測定方法による測定結果である。
【００２１】
本発明において、緊締力とは、伸長に対する素材の抵抗力のことである。
【００２２】
前記織物または編物は、ポリウレタン糸等の伸縮性を有する弾性糸を少なくとも一部に使用しているものが好ましい。
【００２３】
前記弾性糸は、ポリウレタン系弾性糸及びポリエステル系弾性糸から選ばれる少なくとも一つであることが好ましい。ストレッチ性が高く、スポーツ衣料に適しているからである。前記弾性糸は、ベアヤーン（裸糸）又は表面にポリエステル繊維もしくはナイロン繊維が被覆されたカバーリングヤーンのどちらでも良い。
【００２４】
高捲縮仮撚加工を施して伸縮性を持たせたポリエステル、ナイロン等の高捲縮仮撚加工糸を生地の少なくとも一部あるいは全部に使用した生地も可能である。また、単純に前記伸縮性のあるニットを複数枚数重ねて使用することも可能である。更に、前記伸縮性のあるニット生地どうしをラミネート加工して二層にした二層ラミネート生地、伸縮性のあるポリウレタンシート等の樹脂製シートを前記伸縮性のあるニット生地とラミネート加工して二層にした樹脂製シートと生地の二層ラミネート生地、前記樹脂シートを前記伸縮性のある生地ではさみ込みラミネート加工して三層にした三層ラミネート生地も使用可能である。ラミネート生地は生地を１層で使用する場合と比較して、生地に大きな荷重がかかった際にある一定の伸長率以上になりにくく、強緊締素材として用いるのに適している。
しかし、上記弱緊締素材の緊締力の範囲内であれば、弱緊締素材として用いることも可能である。
【００２５】
次に、生地素材に「強弱」の緊締力を持たせ、強緊締素材および弱緊締素材とする方法としては、ポリウレタン糸、高捲縮仮撚加工糸（以下、伸縮糸とする。）の混率の「大小」でそれぞれ生地素材に「強弱」の緊締力を持たせることができる。混率に変化を与える方法としては、伸縮糸の太さを「太細」と変えることで混率の「大小」を出す方法、伸縮糸の太さは同じで生地中に配する割合を「多少」と変えることで混率の「大小」を出す方法がある。伸縮糸の混率が一定の場合に編密度を「密疎」とかえることでも可能である。さらに、伸縮糸の種類を変えた生地を使用するか、或いは同一の生地を使用する場合はポリウレタンシート等の樹脂製シートをラミネート加工した生地とラミネート加工していない生地を用いるか、ポリウレタンシート等の樹脂製シートに緊締力の差を持たせれば、強緊締素材および弱緊締素材とも樹脂製シートを使用することも可能である。同一のポリウレタンシート等の樹脂製シートを使用する場合はラミネートする生地の緊締力を「強弱」と変えることでラミネート生地に「強弱」の緊締力を持たせることが可能である。または同一の生地の重ねる枚数を変えることでも生地に「強弱」の緊締力を持たせることが可能である。
【００２６】
強緊締素材および弱緊締素材における「強弱」の緊締力は、一定伸長率の荷重の大小で確認することができる。すなわち、緊締力の強い生地は荷重が大きく、弱い生地は荷重が小さい。
【００２７】
本発明のスポーツ用ウェアでは、ウェアを構成する各部材は、縫製によって一体化することが好ましい（但し、緯編物の場合は一体編成することもできる。）。縫製方法としては、本縫い、環縫い、１本針オーバーロック、２本針オーバーロック、フラットシーマ等の縫目を形成するミシンで縫着する方法があげられるが、縫目の種類は特にこれらに限定されるものではない。ただ、縫目もストレッチ性を有し、着用時に違和感を感じにくい１本針オーバーロック、２本針オーバーロック、フラットシーマを採用するのが望ましい。
【００２８】
また縫製に限らず接着によって、各部材を一体化することも可能である。接着方法としては、一体化したい二種類の部材にのりしろを設け、熱によって融解し、冷却後生地に浸透して凝固するポリウレタン製の熱融解性のシームテープをのりしろの生地の間にはさみ、熱プレスすることで生地を接着できる熱圧着法があげられるが、縫着同様のりしろにストレッチ性をもたせ、着用時の違和感をなくすことが望ましい。
【００２９】
前記の縫製方法と接着方法は複数の方法を組み合わせて用いることも可能である。また、立体編みを用いた生地は、生地ができた時点で筒状になっているので、それらを任意形状に裁断し、前記手法で縫着または接着することで本発明のスポーツ用ウェアを構成することが可能である。
【００３０】
本発明のスポーツ用ウェアでは、前記（Ａ）、（Ｂ）、（Ｃ）の範囲のうち、必要な範囲に強緊締素材が配置されていればよく、それ以外の弱緊締素材が配置される部分の範囲、領域は特に限定はされない。例えば、全身スーツの場合の袖の長さはどのような長さであっても良く、また、全身スーツや下半身用のスパッツの場合の膝下長さも特に限定はされない。
【実施例】
【００３１】
（実施例１）
以下、本発明にかかるスポーツ用ウェアの実施例を図１及び図２を用いて説明する。図１は、本発明にかかる全身スーツタイプの実施例の正面図、図２は同じく背面図である。
【００３２】
本実施例の全身スーツ１では、側頭部１１、頭部中心部１２、肩部１３、袖部１４、前身頃１５、大腿前部１６、膝部１７、下腿前部１８、後身頃側部１９、後身頃中心部２０、臀部及び大腿後部２１、膝後部２２、及び下腿後部２３の各部材で構成され、各部材は逢着により一体化される。縫着には２本針オーバーロックミシンを使用した。
【００３３】
前記頭部中心部１２、後身頃中心部２０、臀部及び大腿後部２１及び膝部１７は、強緊締素材で構成され、着用者の前額部から頭頂部、後頭部を通り、頚部の板状筋、背部から腰部にかけての脊柱起立筋を経て、臀部の大殿筋、大腿部の半腱様筋、半膜様筋、大腿二頭筋、更には大腿四頭筋から膝蓋骨を通り膝蓋靱帯を覆う領域に配置される。
【００３４】
強緊締素材としては、ゲージ数２８Ｇのラッセル編機を用いて、繊度が５６デシテックス(ｄｔｅｘ)のナイロンフィラメント糸と、繊度が４４デシテックス(ｄｔｅｘ)と４７０デシテックス(ｄｔｅｘ)のポリウレタンベアヤーンを交編したトリコット編組織の生地を基布として、この基布に厚み６０μｍのポリウレタン製のシートをウレタン系接着剤でラミネートした２層のラミネート生地を用いた。基布の混率はナイロン６５重量％、ポリウレタン３５重量％であった。
ストレッチ性を表わす１７．７Ｎ（１８００ｇｆ）加重時の伸長率は経４０％、緯４５％であった。
緊締力を表す６０％伸長時の荷重は経緯方向とも２４．６Ｎ（２５００ｇｆ）であった。
【００３５】
側頭部１１、肩部１３、袖部１４、前身頃１５、大腿前部１６、下腿前部１８、後身頃側部１９、膝後部及び下腿後部２２、下腿後部２３は弱緊締素材で構成され、強緊締素材以外の部分である着用者の側頭部、胸部、側背部、内股部、膝裏部を覆う領域に配置される。
【００３６】
弱緊締素材としては、ゲージ数２８Ｇのトリコット編機を用いて、繊度が５６デシテックス(ｄｔｅｘ)のポリエステルフィラメント糸と、繊度が４４デシテックス(ｄｔｅｘ)のポリウレタンベアヤーンを交編したハーフトリコット編組織の生地を用いた。混率はポリエステル８０重量％、ポリウレタン２０重量％であった。
ストレッチ性を表わす１７．７Ｎ（１８００ｇｆ）加重時の伸長率は経１６０％、緯１２０％であった。
緊締力を表す６０％伸長時の荷重は経４．９Ｎ（５００ｇｆ）緯５．９Ｎ（６００ｇｆ）であった。
【００３７】
本実施例においては「ほぼ密着」の状態を作るため、人体の裸のサイズに対して、周囲方向は８０％、丈は９０〜９５％を目安に作製した。
【００３８】
本実施例の全身スーツタイプのウェアは、例えばスピードスケート用に好適である。すなわち、本実施例のスポーツ用ウェアでは、頭部から頚部、背部、腰部、臀部、大腿部、下腿部にかけて強緊締素材を配置するために、例えば、スケーティングの際には、股関節、膝関節を曲げて前傾し、顔を上げた姿勢をとった際、強緊締素材が伸張して各部位の筋肉の収縮を補助するために、姿勢の保持が容易になる。また、弱緊締素材を側頭部、胸部、側背部、内股部、膝裏部を覆う領域に配置しているため、動きやすさが確保されている。更に、副次的にスケーティング時に氷をける動作に対して補助する効果も得られる。これは、臀部から大腿部、下腿部に配置された強緊締素材が、股関節伸展及び膝関節伸展動作と同期して収縮すると同時にその際伸張する部位である内股部及び膝裏部に配置された弱緊締素材がその動作を妨げないためである。これらのことから、スケーティング時に姿勢の保持が容易となり、副次的に氷をけりやすくなるため、競技力の向上につながる。
【００３９】
（実施例２）
本発明にかかるスポーツ用ウェアの別の実施例を図３及び図４を用いて説明する。図３（ａ）は本発明にかかる全身スーツタイプの別の実施例の正面図、図３（ｂ）は
頭部の左側面図、図４は同じく背面図である。
【００４０】
本実施例の全身スーツ１では、側頭部１１、側頭部中央部１１ａ、頭部中心部１２、肩部１３、袖部１４、前身頃１５、腹筋部１５ａ、下腹部１５ｂ、大腿前部１６、膝部１７、下腿前部１８、脛部１８ａ、後身頃側部１９、後身頃中心部２０、臀部及び大腿後部２１、膝後部２２、及び下腿後部２３の各部材で構成される。
側頭部中央部１１ａは、額と後頭部を含むように頭部の周方向に配置され、後頭部領域は頭部中心部１２の両側部に沿って配置される。
【００４１】
側頭部中央部１１ａ、前記頭部中心部１２、肩部１３、腹筋部１５ａ、後身頃中心部２０、臀部及び大腿後部２１、大腿前部１６、膝部１７、下腿前部１８、及び下腿後部２３は、強緊締素材で構成され、着用者の前額部から頭頂部、後頭部を通り、頚部の板状筋、背部から腰部にかけての脊柱起立筋を経て、臀部の大殿筋、大腿部の半腱様筋、半膜様筋、大腿二頭筋、大腿四頭筋、更には膝蓋骨から下腿部の腓腹筋、ヒラメ筋を覆う領域に配置される。
側頭部１１、袖部１４、前身頃１５、下腹部１５ｂ、膝後部２２、及び脛部１８ａは、弱緊締素材で構成され、強緊締素材以外の部分である着用者の側頭部、胸部、側背部、内股部、膝裏部を覆う領域に配置される。
【００４２】
前記のように各素材を配置すれば、実施例１で説明したところの効果に加えて、側頭部中央部に強緊締素材を配置することで顔を上げた姿勢の保持がより容易となる。肩周辺においては三角筋、僧帽筋上部を覆う部分に強緊締素材を配置しているので、胸を張った姿勢の保持が容易となる。更に腹直筋、内腹斜筋、外腹斜筋を覆う位置にも強緊締素材を配置しているので、腹圧を高め、力を発揮しやすくなる。大腿前部に強緊締素材を配置することで、膝関節付近の効果をより高めることができる。下腿後部に強緊締素材を配置することで、筋ポンプ作用を促進し下腿部の血流が良くなるので疲労を軽減できる。
【００４３】
前記実施例１及び２では、全身スーツのタイプの実施例を示したが、前記の実施例の下半身部分（腰部から下の部分）のみでスパッツタイプのスポーツ用ウェアを構成することも可能である。
その場合は、前記（Ａ）及び／又は（Ｂ）の範囲を宛がう領域を含む位置に強緊締素材が配置されるので、実施例１で説明したところの効果のうち、下半身部分に関する効果が発揮される。
【００４４】
前記の各実施例においては、前記（Ａ）、（Ｂ）、（Ｃ）の範囲を宛がう領域のうちの必要な範囲に強緊締素材が配置されておればよく、それ以外の領域（例えば、袖部や裾部の長さ）については、必要に応じて任意であってよい。
【００４５】
本発明のスポーツ用ウェアは、前記（Ａ）、（Ｂ）、（Ｃ）の範囲を宛がう領域のうちの必要な範囲に強緊締素材が配置され、それ以外の領域に弱緊締素材が配置されておればよく、各部材の形状は実施例に示した形状に限定されるものではない。
【図面の簡単な説明】
【００４６】
【図１】本発明の実施例１の正面図である。
【図２】本発明の実施例１の背面図である。
【図３】（ａ）は本発明の実施例２の正面図、（ｂ）は同じく実施例２の頭部左側面図である。
【図４】本発明の実施例２の背面図である。
【図５】本発明に関係する骨格及び筋肉郡（右足後部）を示す図である。
【図６】本発明に関係する骨格及び筋肉郡（右足前部）を示す図である。
【図７】本発明に関係する骨格及び筋肉郡（上半身背部）を示す図である。
【図８】スポーツ時の前傾姿勢を示す図である。
【符号の説明】
【００４７】
１１  側頭部
１１ａ  側頭部中央部
１２  頭部中心部
１３  肩部
１４  袖部
１５  前身頃
１５ａ  腹筋部
１５ｂ  下腹部
１６  大腿前部
１７  膝部
１８  下腿前部
１８ａ  脛部
１９  後身頃側部
２０  後身頃中心部
２１  臀部及び大腿後部
２２  膝後部
２３  下腿後部
８０  大殿筋
８１  ハムストリングス
８１ａ  大腿二頭筋
８１ｂ  半腱様筋
８１ｃ  半膜様筋
８２  膝蓋骨
８３  大腿四頭筋
８３ａ  外側広筋
８３ｂ  内側広筋
８３ｃ  大腿直筋
８４  膝蓋靱帯
８５  板状筋
８６  頭蓋骨
８７  脊柱起立筋
【図１】
2006097213.tif 000003
【図２】
2006097213.tif 000004
【図３】
2006097213.tif 000005
【図４】
2006097213.tif 000006
【図５】
2006097213.tif 000007
【図６】
2006097213.tif 000008
【図７】
2006097213.tif 000009
【図８】
2006097213.tif 000010